(57)【要約】【課題】ＹＵＶデータからＲＧＢデータへの変換におけるホスト装置の負担を軽くする、または外付けハードウェアの削減を図ることができ、また大容量のメモリを使用せずにズーム処理を行い、部品点数や回路規模の増加を抑えることができる半導体装置、携帯端末システム、センサモジュールを提供する。【解決手段】イメージセンサ１０２により電気信号に変換された映像信号を信号処理する信号処理回路１１５を有するＬＳＩであって、４ビットまたは８ビットのパラレル出力線から、ＹＵＶデータを時分割出力するモードと、ＲＧＢデータを時分割出力するモードとを有し、イメージセンサ１０２から出力される映像信号に信号処理を施した後、４ビットまたは８ビットのバス幅にて、モードの選択により時分割のＹＵＶデータと時分割のＲＧＢデータとを切り替えて出力することができる。【選択図】　　　　図１
2004023279.tif 000002
【特許請求の範囲】
【請求項１】
映像信号を信号処理してＹＵＶデータとＲＧＢデータとを生成して出力する信号処理回路を有し、
前記信号処理回路は、複数ビットのパラレル出力線から、前記ＹＵＶデータを時分割出力するモードと、前記ＲＧＢデータを時分割出力するモードとを有することを特徴とする半導体装置。
【請求項２】
請求項１記載の半導体装置において、
前記複数ビットは、４ビットまたは８ビットであることを特徴とする半導体装置。
【請求項３】
請求項１記載の半導体装置において、
前記信号処理回路は、ズーム処理機能として、前記ＹＵＶデータを拡大した拡大ＹＵＶデータを時分割出力するモードと、前記拡大ＹＵＶデータをＲＧＢデータに変換した変換ＲＧＢデータを時分割出力するモードとを有することを特徴とする半導体装置。
【請求項４】
映像信号を信号処理してＹＵＶデータとＲＧＢデータとを生成して出力し、複数ビットのパラレル出力線から、前記ＹＵＶデータを時分割出力するモードと、前記ＲＧＢデータを時分割出力するモードとを有する信号処理回路と、
前記信号処理回路から時分割出力された前記ＹＵＶデータを伝送制御する伝送制御回路と、
前記信号処理回路から時分割出力された前記ＲＧＢデータを表示する表示回路とを有し、
前記信号処理回路から時分割出力された前記ＹＵＶデータを前記伝送制御回路に出力するタイミングと、前記信号処理回路から時分割出力された前記ＲＧＢデータを前記表示回路に出力するタイミングとを有することを特徴とする携帯端末システム。
【請求項５】
請求項４記載の携帯端末システムにおいて、
前記信号処理回路は、ズーム処理機能として、前記ＹＵＶデータを拡大した拡大ＹＵＶデータを時分割出力するモードと、前記拡大ＹＵＶデータをＲＧＢデータに変換した変換ＲＧＢデータを時分割出力するモードとを有することを特徴とする携帯端末システム。
【請求項６】
映像信号を信号処理してＹＵＶデータとＲＧＢデータとを生成して出力し、複数ビットのパラレル出力線から、前記ＹＵＶデータを時分割出力するモードと、前記ＲＧＢデータを時分割出力するモードとを有する信号処理回路と、
対象物を撮影して前記映像信号に変換するイメージセンサと、
前記イメージセンサの受光面に前記対象物の像を結像させるレンズとを有し、
前記信号処理回路と前記イメージセンサと前記レンズとが一体化されていることを特徴とするセンサモジュール。
【請求項７】
請求項６記載のセンサモジュールにおいて、
前記イメージセンサは、ＣＭＯＳセンサであることを特徴とするセンサモジュール。
【請求項８】
請求項６記載のセンサモジュールにおいて、
前記信号処理回路は、ズーム処理機能として、前記ＹＵＶデータを拡大した拡大ＹＵＶデータを時分割出力するモードと、前記拡大ＹＵＶデータをＲＧＢデータに変換した変換ＲＧＢデータを時分割出力するモードとを有することを特徴とするセンサモジュール。
【発明の詳細な説明】
【０００１】
【発明の属する技術分野】
本発明は、映像信号の信号処理用半導体装置に関し、特に映像信号を信号処理してＹＵＶデータとＲＧＢデータとを生成して出力する信号処理回路を有する半導体装置、およびそれを用いた携帯端末システム、センサモジュールに適用して有効な技術に関する。
【０００２】
【従来の技術】
本発明者が検討したところによれば、映像信号の信号処理用半導体装置（ＬＳＩ）に関しては、以下のような技術が考えられる。
【０００３】
たとえば、携帯電話・ＰＤＡなどに搭載されるカメラの映像信号処理においては、主に伝送・保存を目的とした輝度・色差信号（ＹＵＶ）と、主に表示を目的としたＲＧＢ原色信号の２通りが必要となる。
【０００４】
このような映像信号処理用のＬＳＩでは、イメージセンサから出力される映像信号を処理し、ＹＵＶ形式のデータに変換する信号処理回路の出力端子は、ＬＳＩのチップサイズおよび配線数の増加を抑えるために出力データ端子をＹとＵＶの時分割で使用している。さらに、ＵＶはＵとＶの時分割からなり、一例としてはＹＵＹＶの順で出力している。
【０００５】
また、表示回路に対しては、ＲＧＢデータが必要になるが、それは、ホスト装置または外付け回路にてＹＵＶデータを変換して作っている。
【０００６】
【発明が解決しようとする課題】
ところで、前記のような映像信号の信号処理用半導体装置について、本発明者が検討した結果、以下のようなことが明らかとなった。
【０００７】
たとえば、前記のような映像信号処理用のＬＳＩでは、ＬＳＩから時分割で出力されるＹＵＶデータをホスト装置側または外付けハードウェアでＲＧＢデータに変換し、表示回路に送っている。そのため、ホスト装置の負担や、部品点数の増大を招いている。
【０００８】
また、ズーム処理に関しては、イメージセンサに対する変更は行わず、同時に信号処理回路の動作周波数も変更しなかったため、数ライン分の容量をはるかに超える大容量のメモリが必要である。すなわち、ズーム処理を行う際には、データの補間に伴うデータ量の増大を吸収するために、大容量のメモリを必要としている。
【０００９】
そこで、本発明者は、ＹＵＶデータからＲＧＢデータへの変換におけるホスト装置の負担や、部品点数の増大を抑えるために、ＹＵＶデータからＲＧＢデータへの変換を信号処理回路内で実行し、時分割のＹＵＶデータの出力と、時分割のＲＧＢデータの出力とをモードの選択により切り替え可能とすることを考え付いた。また、ズーム処理に関しても、信号処理回路内で拡大ＹＵＶデータを生成することで、大容量のメモリを用いずにズーム処理を行うことが可能となることを見出した。
【００１０】
そこで、本発明の目的は、ＹＵＶデータからＲＧＢデータへの変換におけるホスト装置の負担を軽くする、または外付けハードウェアの削減を図ることができる半導体装置、およびそれを用いた携帯端末システム、センサモジュールを提供することにある。
【００１１】
また、本発明の他の目的は、大容量のメモリを使用せずにズーム処理を行い、部品点数や回路規模の増加を抑えることができる半導体装置、およびそれを用いた携帯端末システム、センサモジュールを提供することにある。
【００１２】
本発明の前記ならびにその他の目的と新規な特徴は、本明細書の記述および添付図面から明らかになるであろう。
【００１３】
【課題を解決するための手段】
本願において開示される発明のうち、代表的なものの概要を簡単に説明すれば、次のとおりである。
【００１４】
本発明は、映像信号を信号処理してＹＵＶデータとＲＧＢデータとを生成して出力する信号処理回路を有する半導体装置に適用され、この信号処理回路が、複数ビットのパラレル出力線から、ＹＵＶデータを時分割出力するモードと、ＲＧＢデータを時分割出力するモードとを有するものである。特に、複数ビットは、４ビットまたは８ビットとするものである。これにより、映像信号に信号処理を施した後、４ビットまたは８ビットのバス幅にて、時分割のＹＵＶデータと時分割のＲＧＢデータとをモードの選択により切り替えて出力することができるようになる。
【００１５】
さらに、本発明による半導体装置において、信号処理回路は、ズーム処理機能として、ＹＵＶデータを拡大した拡大ＹＵＶデータを時分割出力するモードと、拡大ＹＵＶデータをＲＧＢデータに変換した変換ＲＧＢデータを時分割出力するモードとを有するものである。これにより、大容量のメモリを用いずにズーム処理が可能となり、時分割の拡大ＹＵＶデータと時分割の変換ＲＧＢデータとをモードの選択により切り替えて出力することができるようになる。
【００１６】
また、本発明は、前記信号処理回路と、この信号処理回路から時分割出力された、ＹＵＶデータを伝送制御する伝送制御回路と、ＲＧＢデータを表示する表示回路とを有する携帯端末システムに適用され、信号処理回路から時分割出力されたＹＵＶデータを伝送制御回路に出力するタイミングと、信号処理回路から時分割出力されたＲＧＢデータを表示回路に出力するタイミングとを有するものである。さらに、信号処理回路は、前記のようなズーム処理機能を有するものである。これにより、携帯端末システムにおいても、前記半導体装置と同様の効果を得ることができるようになる。
【００１７】
また、本発明は、前記信号処理回路と、対象物を撮影して映像信号に変換するイメージセンサと、このイメージセンサの受光面に対象物の像を結像させるレンズとを有するセンサモジュールに適用され、信号処理回路とイメージセンサとレンズとが一体化されているものである。特に、イメージセンサは、ＣＭＯＳセンサとするものである。さらに、信号処理回路は、前記のようなズーム処理機能を有するものである。これにより、センサモジュールにおいても、前記半導体装置と同様の効果を得ることができるようになる。
【００１８】
【発明の実施の形態】
以下、本発明の実施の形態を図面に基づいて詳細に説明する。なお、実施の形態を説明するための全図において、同一機能を有する部材には同一の符号を付し、その繰り返しの説明は省略する。
【００１９】
まず、図１により、本発明の一実施の形態の半導体装置における信号処理回路の構成の一例を説明する。併せて、図３および図４により、１ラインのデータ出力順を説明する。それぞれ、図１は本実施の形態の半導体装置における信号処理回路のブロック図、図３は１ラインのデータ出力順の説明図、図４はＪバス／Ｋバスの出力組み合わせの説明図を示す。
【００２０】
本実施の形態の半導体装置における信号処理回路は、図１に示すように、たとえば対象物の撮影像をレンズ１０１などの光学系によりイメージセンサ１０２の受光面上に結像させ、このイメージセンサ１０２により電気信号に変換された映像信号を信号処理する信号処理回路１１５とされ、イメージセンサ１０２からの映像信号を入力として信号処理を行うための信号処理前段部１０８と、信号処理された各種信号を時分割処理して出力するための信号処理後段部１１４などから構成される。たとえば一例として、イメージセンサ１０２にはＭＯＳトランジスタをアレイ状に配置したＣＭＯＳセンサなどが用いられる。
【００２１】
信号処理前段部１０８には、イメージセンサ１０２からの映像信号を一時的に蓄積するラインメモリ１０３と、このラインメモリ１０３に蓄積された映像信号を信号処理して、輝度信号Ｙｐを生成する輝度信号処理回路１０４、および色（色差）信号ＵｐＶｐを生成する色信号処理回路１０５と、輝度信号Ｙｐをズーム処理する輝度信号ズーム処理回路１０６、および色信号ＵｐＶｐをズーム処理する色信号ズーム処理回路１０７などが備えられている。
【００２２】
信号処理後段部１１４には、信号処理前段部１０８の輝度信号ズーム処理回路１０６から出力されたＹ（輝度）データ、色信号ズーム処理回路１０７から出力されたＵおよびＶ（それぞれ色差）データをＲＧＢ（赤緑青の３原色）データに変換する変換回路１０９と、信号処理前段部１０８から出力されたＹＵＶデータと変換回路１０９によるＲＧＢデータとを切り替えるセレクタ１１０，１１１と、このセレクタ１１０，１１１により切り替えたデータを時分割処理して出力する時分割処理回路１１２と、セレクタ１１０，１１１を切り替える制御回路１１３などが備えられている。制御回路１１３は、ＬＳＩ外部からの切り替え指示もしくはＬＳＩ内部で発生する切り替え指示信号をもとに動作し、時分割出力モードを切り替える。
【００２３】
この信号処理後段部１１４において、それぞれ、信号処理前段部１０８の輝度信号ズーム処理回路１０６から出力されたＹデータはＹバス、色信号ズーム処理回路１０７から出力されたＵＶデータはＵＶバス、変換回路１０９により変換されたＲＧＢデータはＲＧＢバスを通じてセレクタ１１０，１１１に接続されている。さらに、それぞれ、Ｙデータに対応するセレクタ１１０からのデータはＪバス、ＵＶデータに対応するセレクタ１１１からのデータはＫバスを通じて時分割処理回路１１２に接続されている。また、制御回路１１３とセレクタ１１０，１１１との間は切り替え指示信号線ｓｅｌＲＧＢを通じて接続されている。
【００２４】
以上のように構成される信号処理回路１１５は、信号処理前段部１０８と信号処理後段部１１４とを含んで集積回路化され、これらの各回路を構成する回路素子は公知の半導体集積回路の製造技術によって単結晶シリコンなどのような１個の半導体基板上において形成され、１個の半導体装置（ＬＳＩ）となる。
【００２５】
この信号処理回路１１５、および光学系のレンズ１０１、撮像手段のイメージセンサ１０２を含めた構成における動作は、以下のようになる。
【００２６】
まず、撮影像をレンズ１０１によりイメージセンサ１０２の受光面上に結像させ、このイメージセンサ１０２により電気信号に変換された映像信号を信号処理回路１１５に転送する。
【００２７】
この信号処理回路１１５においては、映像信号を、一旦、ラインメモリ１０３に蓄積した後に、輝度信号処理回路１０４により信号処理して輝度信号Ｙｐを生成し、また色信号処理回路１０５により信号処理して色信号ＵｐＶｐを生成する。
【００２８】
さらに、ズーム処理を行う際には、輝度信号Ｙｐを輝度信号ズーム処理回路１０６によりズーム処理し、また色信号ＵｐＶｐを色信号ズーム処理回路１０７によりズーム処理して、それぞれ、拡大された輝度信号のＹデータをＹバス、拡大された色信号のＵＶ信号をＵＶバスを通じて転送する。このＹデータは最低８ビット、ＵＶデータは最低８ビットでかつ時分割で転送される。
【００２９】
なお、ズーム処理を行わない場合には、それぞれ、輝度信号ズーム処理回路１０６、色信号ズーム処理回路１０７に入力された輝度信号Ｙｐ、色信号ＵｐＶｐがそのままＹデータ、ＵＶデータとして出力される。
【００３０】
続いて、Ｙバス上のＹデータと、ＵＶバス上のＵＶデータを変換回路１０９によりＲＧＢデータに変換した後に、Ｙバス上のＹデータとＲＧＢデータとをセレクタ１１０により切り替え、またＵＶバス上のＵＶデータとＲＧＢデータとをセレクタ１１１により切り替えて、それぞれ、切り替えられたデータをＪバス、Ｋバスを通じて転送する。
【００３１】
そして、Ｊバス上のデータ、またはＫバス上のデータを時分割処理回路１１２により時分割処理して、信号処理回路１１５からＹＵＶデータまたはＲＧＢデータとして出力する。この信号処理回路１１５からの出力バスは最低８ビットで、ＹＵＶデータおよびＲＧＢデータは出力データバスの一部または全部を使用し、最低１ビットを共有する。
【００３２】
以上のようにして、イメージセンサ１０２からの映像信号を信号処理回路１１５により信号処理して、ＹＵＶデータの時分割出力、ＲＧＢデータの時分割出力、ＹＵＶデータをズーム処理した拡大ＹＵＶデータの時分割出力、拡大ＹＵＶデータをＲＧＢに変換した変換ＲＧＢデータの時分割出力を行うことができる。
【００３３】
特に、この信号処理回路１１５においては、ＹＵＶデータとＲＧＢデータとのビット幅が同じ、または差が少なく、出力タイミングを一致させられる場合に良好に適用される。たとえば一例として、図３に示すように、１ラインのデータ出力順（全ライン共通、１ライン画素数Ｍ）を考えると、最低８ビットのＹデータ、同じく最低８ビットでかつ時分割のＵＶデータの場合に、時分割の出力データの並びは以下のようになる。ＹＵＶデータの場合は、ＹとＵＶとを交互に、ＵＶはさらに時分割され、ＵとＶとを交互に出力する（モード１，２）。ＲＧＢデータの場合は、ＲＧＢの一部と残りのビットを交互に出力する（モード３）。
【００３４】
なお、図３においては、回路遅延を加味せず、データを先頭位置に揃えている。また、Ｙ（１），Ｙ（２），…，Ｙ（Ｍ）はＹバスデータ、Ｕ（１），Ｖ（１），…，Ｖ（Ｍ−１）はＵＶバスデータ（時分割）をそれぞれ示し、Ｕ，Ｖは相互に入れ替え可能である。Ｊ（１），Ｊ（２），…，Ｊ（Ｍ）はＪバスデータ、Ｋ（１），Ｋ（２），…，Ｋ（Ｍ）はＫバスデータをそれぞれ示す。
【００３５】
このモード３におけるＪバス／Ｋバスのビット配分は、たとえば一例として、図４に示すようになる。ＲＧＢ３色を２分割で出力するため、どれか１色は２回に分けて出力される。なお、図４において、Ｇ１はＧデータの一部、Ｇ２は残りをそれぞれ示す。ビットの組み合わせにより、モード３−１〜３−４に分類する。それぞれ、モード３−１はＪバスにＲとＧ１でＫバスにＧ２とＢ、モード３−２はＪバスにＧ１とＲでＫバスにＧ２とＢ、モード３−３はＪバスにＧ１とＲでＫバスにＢとＧ２、モード３−４はＪバスにＲとＧ１でＫバスにＢとＧ２をそれぞれ配分する。
【００３６】
次に、図２により、本実施の形態の半導体装置における別の信号処理回路の構成の一例を説明する。併せて、前述した図３により、１ラインのデータ出力順を説明する。図２は本実施の形態の半導体装置における別の信号処理回路のブロック図を示す。
【００３７】
本実施の形態の半導体装置における別の信号処理回路は、図２に示すように、前述した図１の構成と比較して、信号処理後段部２０７の構成が異なっている。以下においては、この別の信号処理回路１１５ａについて、前述した図１の構成による信号処理回路１１５との異なる部分を主に説明する。
【００３８】
この信号処理回路１１５ａの信号処理後段部２０７には、信号処理前段部１０８の輝度信号ズーム処理回路１０６から出力されたＹデータ、色信号ズーム処理回路１０７から出力されたＵＶデータをＲＧＢデータに変換する変換回路２０１と、信号処理前段部１０８から出力されたＹＵＶデータを時分割処理する時分割処理回路２０２と、変換回路２０１によるＲＧＢデータを時分割処理する時分割処理回路２０３と、時分割処理回路２０２による時分割ＹＵＶデータと時分割処理回路２０３による時分割ＲＧＢデータとを切り替えて出力するセレクタ２０４と、このセレクタ２０４を切り替える制御回路２０５などが備えられている。
【００３９】
特に、この図２に示す信号処理回路１１５ａにおいては、ＲＧＢデータがＹＵＶデータよりもビット幅が広く、高いレートでの出力が必要となる場合に良好に適用される。たとえば一例として、前述した図３に示すように、１ラインのデータ出力順（全ライン共通、１ライン画素数Ｍ）を考えると、最低８ビットのＹデータ、同じく最低８ビットでかつ時分割のＵＶデータの場合に、時分割の出力データの並びは以下のようになる。ＹＵＶデータの場合は、ＹとＵＶとを交互に、ＵＶはさらに時分割され、ＵとＶとを交互に出力する（モード１，２）。ＲＧＢデータの場合は、ＲＧＢ３種類のデータを１種類ずつ順に出力する（モード４）。たとえば、図３ではＲ，Ｇ，Ｂの順にデータを出力している例を示しているが、Ｂ，Ｇ，Ｒなどの順に出力することも可能である。
【００４０】
なお、図３において、Ｒ（１），Ｒ（２），…，Ｒ（Ｍ）はＲデータ、Ｇ（１），Ｇ（２），…，Ｇ（Ｍ）はＧデータ、Ｂ（１），Ｂ（２），…，Ｂ（Ｍ）はＢデータをそれぞれ示し、Ｒ，Ｇ，Ｂは相互に入れ替え可能である。
【００４１】
また、前記図２に示す信号処理回路１１５ａにおいては、ＬＳＩの出力端子数および配線数の抑制を目的として、最低８ビットの出力をさらに時分割することで、最低４ビットの出力を持つ回路構成とすることができる。この場合、図２に示す信号処理後段部２０７の構成では、時分割処理を時分割処理回路２０２，２０３でのみ行う方法と、セレクタ２０４の後段に２段目の時分割処理回路２０６を接続し、２段階で時分割処理を行う方法の、２通りの方法を取ることができる。
【００４２】
このように最低４ビットの出力を持つ回路構成では、前述した図３において、モード１のデータ並びに対して本機能を適用した場合は、モード５の出力並びとなる。たとえば、モード１のＹ（１）の出力に対応して、モード５ではＹ（１）ａ，Ｙ（１）ｂのデータを出力するようになる。同じく、モード２に対してはモード６、モード３に対してはモード７、モード４に対してはモード８となる。
【００４３】
なお、図３において、Ｙ（１）ａ，Ｙ（２）ａ，…，Ｙ（Ｍ）ａはＹデータの一部ビット、Ｙ（１）ｂ，Ｙ（２）ｂ，…，Ｙ（Ｍ）ｂはＹデータの残りビットをそれぞれ示し、他のＵ，Ｖ，Ｊ，Ｋについても同様である。
【００４４】
次に、図５および図６により、本実施の形態の半導体装置において、信号処理回路を構成する輝度信号ズーム処理回路、色信号ズーム処理回路の構成の一例を説明する。それぞれ、図５は輝度信号ズーム処理回路のブロック図、図６は色信号ズーム処理回路のブロック図を示す。
【００４５】
図５において、輝度信号ズーム処理回路１０６は、輝度信号Ｙｐが入力され、さらにズーム処理後の輝度信号Ｙを出力するズームメモリ１５１と、このズームメモリ１５１を制御するズームメモリ制御回路１５２などから構成される。ズームメモリ制御回路１５２には、輝度信号Ｙｐの有効または無効を示す水平データＶａｌｉｄと垂直データＶａｌｉｄの各信号が入力され、さらにズーム処理後の輝度信号Ｙの有効または無効を示す出力データＶａｌｉｄ信号を出力する。さらに、ズームメモリ１５１には、メモリ書き込みクロック、メモリ書き込みイネーブル、メモリ書き込みアドレス、メモリ読み出しクロック、メモリ読み出しアドレスの各信号がズームメモリ制御回路１５２より入力される。
【００４６】
この輝度信号ズーム処理回路１０６によって、ズーム処理対象領域に対応する輝度信号Ｙｐを縦横共に２倍にしたズーム処理後の輝度信号Ｙが得られる。この輝度信号ズーム処理回路１０６におけるズーム処理は、ズームメモリ制御回路１５２に入力されるズーム制御信号により制御され、ズーム制御信号が活性化された場合にはズーム処理が実行され、非活性状態ではズームメモリ１５１に入力された輝度信号Ｙｐがそのまま輝度信号Ｙとして出力される。
【００４７】
図６において、色信号ズーム処理回路１０７は、色信号Ｃｐが入力され、さらにズーム処理後の色信号Ｃを出力するズームメモリ１５３と、このズームメモリ１５３を制御するズームメモリ制御回路１５４などから構成される。ズームメモリ制御回路１５４には、色信号Ｃｐの有効または無効を示す水平データＶａｌｉｄと垂直データＶａｌｉｄの各信号が入力される。さらに、ズームメモリ１５３には、メモリ書き込みクロック、メモリ書き込みイネーブル、メモリ書き込みアドレス、メモリ読み出しクロック、メモリ読み出しアドレスの各信号がズームメモリ制御回路１５４より入力される。
【００４８】
この色信号ズーム処理回路１０７によって、ズーム対象領域に対応する色信号Ｃｐを縦横共に２倍にしたズーム処理後の色信号Ｃが得られる。この色信号ズーム処理回路１０７におけるズーム処理は、ズームメモリ制御回路１５４に入力されるズーム制御信号により制御され、ズーム制御信号が活性化された場合にはズーム処理が実行され、非活性状態ではズームメモリ１５３に入力された色信号Ｃｐがそのまま色信号Ｃとして出力される。
【００４９】
以上のように構成される輝度信号ズーム処理回路１０６および色信号ズーム処理回路１０７においては、図５における輝度信号Ｙの有効期間と図６における色信号の有効期間Ｃは同じになるようにそれぞれ制御する。従って、図５における出力データＶａｌｉｄ信号は図６のズーム処理後の色信号Ｃの有効期間も示しており、図６には出力データＶａｌｉｄ信号は必要ない。
【００５０】
次に、図７〜図１１により、画素に対応する輝度信号および色信号、画素に対応するズーム処理後の輝度信号および色信号について詳細に説明する。それぞれ、図７は画素に対応する輝度信号、図８は画素に対応するズーム処理後の輝度信号、図９は画素に対応する色信号、図１０は画素に対応するズーム処理後の色信号、図１１は画素に対応する色信号と色差信号との関係を示す。
【００５１】
図７は、前記図５における輝度信号Ｙｐと画素との対応を表し、１つの画面は横Ｍ画素×縦Ｎ画素で構成される。各格子は画面上の各画素を表わしており、格子の数はＭにＮを乗じた数に一致するが、図７においては破線で表わされる一部分を、省略して描いてある。輝度信号Ｙｐが入力される順序は、画面左上のＹｐ（１，１）を開始点とし、まず、水平方向に順次データが入力され、水平方向１行分のデータが入力されると、下の行に移り同様に入力される。これを最下行の最終データＹｐ（Ｎ，Ｍ）まで繰り返す。
【００５２】
図８は、ズーム処理後の輝度信号Ｙを示し、１つの画面は前記図７と同様に横Ｍ画素×縦Ｎ画素で構成される。各格子は画面上の各画素を表わしており、格子の数はＭにＮを乗じた数に一致するが、図８においては破線で表わされる一部分を省略して描いてある。各画素のデータは元の輝度信号Ｙｐ（ｎ，ｍ）の形で示してある。ズーム処理後の輝度信号Ｙは図８の各格子内のＹｐ（ｎ，ｍ）が示すように、元の輝度信号Ｙｐのズーム処理対象領域内の各画素を隣接する４画素として再配置することで得られる。
【００５３】
図９は、前記図６における色信号Ｃｐと画素との対応を表し、１つの画面は横Ｍ画素×縦Ｎ画素で構成される。各格子は画面上の各画素を表わしており、格子の数はＭにＮを乗じた数に一致するが、図９においては破線で表わされる一部分を省略して描いてある。色信号Ｃｐが入力される順序は、画面左上のＣｐ（１，１）を開始点とし、まず、水平方向に順次データが入力され、水平方向１行分のデータが入力されると、下の行に移り同様に入力される。これを最下行の最終データＣｐ（Ｎ，Ｍ）まで繰り返す。
【００５４】
図１０は、ズーム処理後の色信号Ｃを示し、１つの画面は前記図９と同様に横Ｍ画素×縦Ｎ画素で構成される。各格子は画面上の各画素を表わしており、格子の数はＭにＮを乗じた数に一致するが、図１０においては破線で表わされる一部分を省略して描いてある。各画素のデータは元の色信号Ｃｐ（ｎ，ｍ）の形で示してある。ズーム処理後の色信号Ｃは図１０の各格子内のＣｐ（ｎ，ｍ）が示すように、元の色信号Ｃｐのズーム処理対象領域内の各画素を４画素として再配置することで得られる。
【００５５】
ただし、図９の色信号Ｃｐが、図１１に示すように、ＵｐおよびＶｐという色差信号で構成されており、これらのデータは２つ１組で１つのグループとなるので、ズーム処理対象領域内の各画素から得られた４画素を水平方向には１画素おきに配置し、垂直方向には隣接して配置する。このような配置をすれば、元の輝度信号Ｙｐと色信号Ｃｐの対応関係と、ズーム処理後の輝度信号Ｙと色信号Ｃの対応関係が同一となる。
【００５６】
次に、図１２〜図１７により、本実施の形態における第１のズーム処理方法について詳細に説明する。それぞれ、図１２〜図１７に従って順に説明する。
【００５７】
図１２は、前記図５および図６の各信号の１フレーム期間の通常時タイミング概要を示す。輝度信号Ｙｐおよび色信号Ｃｐは、１フレーム期間で１画面分の画素データが転送される。図１２において、水平データＶａｌｉｄ信号は、画面の１ラインのデータに１つのハイレベルの期間が対応する。また、各ハイレベル期間の上の数字は何ライン目のデータであるかを示していて、図１２は１ライン目からＮライン目までの１画面分のタイミングを表わしている。垂直データＶａｌｉｄは１フレームのデータに１つのハイレベルの期間が対応する。Ｙｐは輝度信号を、Ｙはズーム処理後の輝度信号を、Ｃｐは色信号を、Ｃはズーム処理後の色信号をそれぞれ表す。ただし、図１２は通常時のタイミングを示しているので、ＹｐとＹ、ＣｐとＣは同一の信号となる。それぞれの「有効」の期間はデータが有効であることを意味し、この期間には、Ｍ画素分のデータが存在し、「無効」の期間はデータが無効であることを意味する。
【００５８】
図１３に、本実施の形態の第１のズーム処理方法における１フレーム期間の拡大時タイミング概要を表わす。第１のズーム処理方法では、ズーム率を２倍としている。輝度信号Ｙｐおよび色信号Ｃｐは、前記に説明した図１２のものと同様であるが、拡大対象部分におけるデータのみズームメモリに書き込むためメモリ書き込みイネーブル信号を使用する。メモリ書き込みイネーブル信号がハイレベルの期間のみズームメモリに輝度信号Ｙｐおよび色信号Ｃｐのデータが書き込まれる。メモリ書き込みイネーブルがハイレベルの期間は、１ライン目のデータからＮ／２ライン目のデータまでは水平データＶａｌｉｄ信号の前半半分の期間のみハイレベルとなり、その後Ｎ／２＋１ライン目から最終ラインのＮライン目まではローレベルとなる。
【００５９】
この動作によって、ズーム処理対象処理領域のデータ、すなわち輝度信号Ｙｐおよび色信号Ｃｐの「有効」と表わされた部分のデータのみが、ズームメモリに書き込まれ、それ以外のデータ、すなわち「無効」と表わされた部分のデータはズームメモリには書き込まれない。ズームメモリに書き込まれたデータは、書き込みクロックの２倍の周波数のクロックで読み出され、ズーム処理後輝度信号Ｙおよびズーム処理後色信号Ｃとして出力される。この読み出し動作は、ズームメモリに保存されている１ライン分のデータをすべて出力した後、さらにもう一度１ライン分のデータを読み出す。このズームメモリへの書き込み動作とズームメモリからの読み出し動作は、入力データのＮ／２ライン目、すなわち出力側のＮライン目まで繰り返され、その後、入力側のＮライン目までは読み出し動作は行わない、もしくはダミーデータを読み出す。そのため、ズーム処理後輝度信号Ｙおよびズーム処理後色信号Ｃはデータの有効期間と無効期間があるため、データの有効期間には出力データＶａｌｉｄにハイレベルを出力し、それ以外にはローレベルを出力する。
【００６０】
図１４を用いて、輝度信号のズーム処理の詳細な動作を説明する。図１４は輝度信号の１ライン目付近のタイミングを示している。メモリ書き込みクロック信号は、ズームメモリに書き込む際の基準クロックである。Ｙｐ（ｍ，ｎ）信号は、前記図７の画素に対応する輝度信号Ｙｐと同じであり、信号の（１，１）、（１，２）などはそれぞれＹｐ（１，１）、Ｙｐ（１，２）などを示す。この図１４では１ライン目付近のタイミングのみを表わしているので、Ｙｐ（１，１）からＹｐ（１，Ｍ）まで順次信号が変化する。１ライン目のデータのうちズーム対象領域に相当する（１，１）から（１，Ｍ／２）までのデータのみをズームメモリに書き込むため、メモリ書き込みイネーブル信号を制御する。メモリ書き込みイネーブル信号はズーム対象領域でのみハイレベルとなるように制御する。また、書き込まれるデータをズームメモリ上の異なったアドレスに書き込むため、メモリ書き込み信号がハイレベルの期間のみ、メモリ書き込みアドレスをメモリ書き込みクロックと同期してインクリメントする。これらの動作によりズームメモリのアドレス１からＭ／２には、Ｙｐ（１，１）からＹｐ（１，Ｍ／２）に対応するデータが書き込まれるように動作する。
【００６１】
一方、メモリ書き込みクロックの倍の周波数のメモリ読み出しクロックに同期して、メモリアドレス１からＭ／２までを順次２回ずつ読み出し、さらに同様の動作をもう一度行う。この動作によってＹ（ｍ，ｎ）には、Ｙｐ（１，１）からＹｐ（１，Ｍ／２）までの輝度信号Ｙｐが横方向に２倍、縦方向にも２倍に変換された信号が出力される。なお、図１４においてズーム処理後の輝度信号Ｙの（１，１）などは対応する輝度信号Ｙｐの位置として表わしてある。ズーム処理後の輝度信号Ｙにはデータの無効期間があるので有効と無効の判別のために出力データＶａｌｉｄ信号を付加し有効期間にはハイレベルを出力する。これら一連の動作を２ライン目以降Ｎ／２ライン目まで同様に行う。その際、メモリの書き込みアドレスおよび読み出しアドレスは常に１からＭ／２までを繰り返し使用する。
【００６２】
図１５は、出力側Ｎライン目付近のタイミングを示す。出力側がＮライン目は入力側ではＮ／２ライン目に相当する。動作は前記図１４の１ライン目の動作と同じである。
【００６３】
Ｎ／２＋１ライン目以降Ｎライン目までの動作はズーム処理対象領域では無くなるため、メモリ書き込みイネーブルは常にローレベルに制御し、ズームメモリへの書き込みは行わない。出力データＶａｌｉｄについても同様にローレベルを出力する。これら一連の動作によって、前記図７の画素に対応する輝度信号Ｙｐが前記図８の画素に対応するズーム処理後の輝度信号Ｙに変換され、ズーム処理が実現できる。
【００６４】
本実施の形態の第１の輝度信号のズーム処理方法では、前記図７に示す部分をズーム処理対象領域として定義したが、異なる領域をズーム処理対象領域としても、メモリ書き込みイネーブル、メモリ書き込みアドレス、メモリ読み出しアドレスをその領域に適合するように制御することで、同様のズーム処理が行える。
【００６５】
図１６を用いて、色信号のズーム処理の詳細な動作を説明する。図１６は色信号の１ライン目付近のタイミングを示している。このタイミングは前記図１４の輝度信号の１ライン目付近のタイミングとほぼ同様であり、前記図１４のＹｐをＣｐに、ＹをＣとして、メモリの読み出しアドレスの生成のみを変更し、それに伴ってズーム処理後の色信号Ｃについても出力順が変更された形となっている。すなわち、前記図９、図１０に示したように色信号の処理は、２個ずつのデータを１組と考えて拡大処理をしなければならないので、メモリの読み出しアドレスを、１，２，１，２，３，４，３，４，…，Ｍ／２−１，Ｍ／２，Ｍ／２−１，Ｍ／２のように制御することで、前記図９の画素に対応する色信号Ｃｐを前記図１０の画素に対応するズーム処理後の色信号Ｃに変換するズーム処理を実現できる。以降の各ラインについても、輝度信号Ｙｐの処理に対してメモリ読み出しアドレスの制御のみを変更した方法で行う。図１７は色信号の出力側Ｎライン目付近のタイミングを示している。
【００６６】
本実施の形態の第１の色信号のズーム処理方法では、前記図９に示す部分をズーム対象領域として定義したが、異なる領域をズーム対象領域としても、メモリ書き込みイネーブル、メモリ書き込みアドレス、メモリ読み出しアドレスをその領域に適合するように制御することで、同様のズーム処理が行える。
【００６７】
また、メモリ書き込みクロックとメモリ読み出しクロックは相対的に２倍の比率が保たれればよいので、通常時のクロック周波数に対してメモリ書き込みクロックを１／２倍の周波数に制御してもよい。その場合は、イメージセンサのクロック周波数を１／２倍にすることで、容易に実現可能である。
【００６８】
次に、図１８〜図２６により、本実施の形態における第２のズーム処理方法について詳細に説明する。それぞれ、図１８〜図２６に従って順に説明する。
【００６９】
図１８に、本実施の形態の第２のズーム処理方法における１フレーム期間の拡大時タイミング概要を表わす。第２のズーム処理方法では、ズーム率を２倍としている。１つの垂直データＶａｌｉｄ信号のハイレベル期間に対する水平データＶａｌｉｄ信号のハイレベル期間の回数はズーム対象領域のライン数Ｎ／２と等しいＮ／２個になるように制御し、かつ通常時の水平データＶａｌｉｄ信号を１つおきに間引いたタイミングになるように制御する。この動作はイメージセンサの制御タイミングを変化することで達成する。つまり、イメージセンサがＮライン相当のデータではなく、Ｎ／２ライン相当のデータのみ出力するように動作させる。輝度信号Ｙｐおよび色信号Ｃｐは、前記に説明した図１２のものと比較して、各水平データＶａｌｉｄ信号がハイレベルの期間には、同じものを入力する。水平データＶａｌｉｄ信号がローレベルの期間の輝度信号Ｙｐおよび色信号Ｃｐはどんなデータでも構わない。またさらに、拡大対象部分におけるデータのみズームメモリに書き込むためメモリ書き込みイネーブル信号を使用する。メモリ書き込みイネーブル信号がハイレベルの期間のみズームメモリに輝度信号Ｙｐおよび色信号Ｃｐのデータが書き込まれる。メモリ書き込みイネーブルがハイレベルの期間は、１ライン目のデータからＮ／２ライン目のデータまでの入力されたすべてのラインの水平データＶａｌｉｄ信号の前半半分の期間のみハイレベルとなり、それ以外の期間はローレベルとなる。
【００７０】
この動作によって、ズーム処理対象処理領域のデータ、すなわち輝度信号Ｙｐおよび色信号Ｃｐの「有効」と表わされた部分のデータのみが、ズームメモリに書き込まれ、それ以外のデータ、すなわち「無効」と表わされた部分のデータはズームメモリには書き込まれない。ズームメモリに書き込まれたデータは、書き込みクロックと同じ周波数のクロックで読み出され、ズーム処理後輝度信号Ｙおよびズーム処理後色信号Ｃとして出力される。この読み出し動作は、ズームメモリに保存されている１ライン分のデータをすべて出力した後、さらにもう一度１ライン分のデータを読み出す。このズームメモリへの書き込み動作とズームメモリからの読み出し動作は、入力データのＮ／２ライン目、すなわち出力側のＮライン目まで繰り返される。出力データＶａｌｉｄはズームメモリからの読み出しに同期して、データの有効期間には出力データＶａｌｉｄにハイレベルを出力し、それ以外の期間にはローレベルを出力する。
【００７１】
図１９を用いて、輝度信号のズーム処理の詳細な動作を説明する。図１９は輝度信号の１ライン目付近のタイミングを示している。メモリ書き込みクロック信号は、ズームメモリに書き込む際の基準クロックである。Ｙｐ（ｍ，ｎ）信号は、前記図７の画素に対応する輝度信号Ｙｐと同じであり、信号の（１，１）、（１，２）などはそれぞれＹｐ（１，１）、Ｙｐ（１，２）などを示す。この図１９では１ライン目付近のタイミングのみを表わしているので、Ｙｐ（１，１）からＹｐ（１，Ｍ）まで順次信号が変化する。１ライン目の輝度信号Ｙｐデータのうちズーム対象領域に相当する（１，１）から（１，Ｍ／２）までのデータのみをズームメモリに書き込むため、メモリ書き込みイネーブル信号を制御する。メモリ書き込みイネーブル信号はズーム対象領域でのみハイレベルとなるように制御する。また、書き込まれるデータをズームメモリ上の異なったアドレスに書き込むため、メモリ書き込み信号がハイレベルの期間のみ、メモリ書き込みアドレスをメモリ書き込みクロックと同期してインクリメントする。これらの動作によりズームメモリのアドレス１からＭ／２には、Ｙｐ（１，１）からＹｐ（１，Ｍ／２）に対応するデータが書き込まれるように動作する。
【００７２】
一方、メモリ書き込みクロックと同じ周波数のメモリ読み出しクロックに同期して、メモリアドレス１からＭ／２までを順次２回ずつ読み出し、図２０の輝度信号の２ライン目付近のタイミングに示すように、さらにもう一度、メモリアドレス１からＭ／２までを順次２回ずつ読み出す動作を行う。この動作によってＹ（ｍ，ｎ）には、Ｙｐ（１，１）からＹｐ（１，Ｍ／２）までの輝度信号Ｙｐが横方向に２倍、縦方向にも２倍に変換された信号が出力される。なお、図１９、図２０においてズーム処理後の輝度信号Ｙの（１，１）などは対応する輝度信号Ｙｐの位置として表わしてある。ズーム処理後の輝度信号Ｙにはデータの無効期間があるので有効と無効の判別のために出力データＶａｌｉｄ信号を付加し有効期間にはハイレベルを出力する。これら一連の動作を３ライン目以降Ｎ／２ライン目まで同様に行う。その際、メモリの書き込みアドレスおよび読み出しアドレスは常に１からＭ／２までを繰り返し使用する。
【００７３】
図２１、図２２は出力側Ｎ−１ライン目、Ｎライン目付近のタイミングをそれぞれ示す。出力側Ｎライン目は入力側ではＮ／２ライン目に相当する。動作は前記図１９の１ライン目の動作と同様である。これら一連の動作によって、前記図７の画素に対応する輝度信号Ｙｐが前記図８の画素に対応するズーム処理後の輝度信号Ｙに変換され、ズーム処理が実現できる。
【００７４】
本実施の形態の第２の輝度信号のズーム処理方法では、前記図７に示す部分をズーム対象領域として定義したが、異なる領域をズーム対象領域としても、メモリ書き込みイネーブル、メモリ書き込みアドレス、メモリ読み出しアドレスをその領域に適合するように制御することで、同様のズーム処理が行える。
【００７５】
図２３、図２４を用いて、色信号のズーム処理の詳細な動作を説明する。図２３は色信号の１ライン目付近のタイミングを示し、図２４は色信号の２ライン目付近のタイミングを示している。これらタイミングは前記図１９、図２０の輝度信号の１ライン目付近のタイミング、輝度信号の２ライン目付近のタイミングとそれぞれ、ほぼ同様であり、前記図１９のＹｐをＣｐに、ＹをＣとして、メモリの読み出しアドレスの生成のみを変更し、それに伴ってズーム処理後の色信号Ｃについても出力順が変更された形となっている。すなわち、前記図９、図１０に示したように色信号の処理は、２個ずつのデータを１組と考えて拡大処理をしなければならないので、メモリの読み出しアドレスを、１，２，１，２，３，４，３，４，…，Ｍ／２−１，Ｍ／２，Ｍ／２−１，Ｍ／２のように制御し、処理をＮライン目まで繰り返すことで、前記図９の画素に対応する色信号Ｃｐを前記図１０の画素に対応する色信号Ｃに変換するズーム処理を実現できる。図２５は色信号のＮ−１ライン目付近のタイミング、また図２６は色信号のＮライン目付近のタイミングをそれぞれ示す。
【００７６】
本実施の形態の第２の色信号のズーム処理方法では、前記図９に示す部分をズーム対象領域として定義したが、異なる領域をズーム対象領域としても、メモリ書き込みイネーブル、メモリ書き込みアドレス、メモリ読み出しアドレスをその領域に適合するように制御することで、同様のズーム処理が行える。
【００７７】
次に、図２７により、本実施の形態における信号処理回路を用いたセンサモジュールの構成の一例を説明する。図２７は本実施の形態における信号処理回路を用いたセンサモジュールのブロック図を示す。
【００７８】
センサモジュール３０１は、前述した、ＹＵＶデータの時分割出力、ＲＧＢデータの時分割出力、ＹＵＶデータをズーム処理した拡大ＹＵＶデータの時分割出力、拡大ＹＵＶデータをＲＧＢに変換した変換ＲＧＢデータの時分割出力の各モードを切り替えて出力する機能を有する信号処理回路１１５，１１５ａ、対象物を撮影して映像信号に変換し、信号処理回路１１５，１１５ａに入力するイメージセンサ１０２、このイメージセンサ１０２の受光面に対象物の撮影像を結像させるレンズ１０１などから構成され、信号処理回路１１５，１１５ａ、イメージセンサ１０２およびレンズ１０１は極小型の形状に一体化して形成されている。このセンサモジュール３０１は、たとえばカメラモジュールなどに用いられる。
【００７９】
次に、図２８により、本実施の形態における信号処理回路を用いた携帯端末システムの構成の一例を説明する。図２８は本実施の形態における信号処理回路を用いた携帯端末システムのブロック図を示す。
【００８０】
携帯端末システム４０１は、前述した、信号処理回路１１５，１１５ａ、イメージセンサ１０２およびレンズ１０１を内蔵し、さらに信号処理回路１１５，１１５ａから時分割出力されたＲＧＢデータを用いて映像を表示する表示回路４０２、信号処理回路１１５，１１５ａから時分割出力されたＹＵＶデータを用いて伝送制御する伝送制御回路４０３、ＹＵＶデータを格納するメモリ４０４などを備えて構成される。この携帯端末システム４０１は、たとえば携帯電話機などに用いられる。
【００８１】
この携帯端末システム４０１では、信号処理回路１１５，１１５ａから、モードにより出力タイミングが切り替えられるＹＵＶデータとＲＧＢデータとが同一バス上に時分割出力され、伝送制御回路４０３ではＹＵＶデータを使用し、表示回路４０２ではＲＧＢデータを使用する。この際に、伝送制御回路４０３ではＲＧＢデータを取り込まないように制御され、表示回路４０２ではＹＵＶデータを取り込まないように制御される。伝送制御回路４０３では、ＹＵＶデータをそのまま、もしくはデータ圧縮などの加工をして、無線伝送や通信ケーブルを介した外部への転送を行う。表示回路４０２では、携帯端末システム４０１に付属の表示装置に撮影データを表示する。
【００８２】
以上説明したように、本実施の形態によれば、イメージセンサ１０２から出力される映像信号に信号処理を施した後、最低８ビットのバス幅にて出力する信号処理回路１１５，１１５ａを有するＬＳＩにおいて、時分割のＹＵＶデータと時分割のＲＧＢデータとを切り替えて出力することができる。
【００８３】
さらに、信号処理回路１１５，１１５ａを有するＬＳＩにおいて、大容量のメモリを用いずにズーム処理を施したＹＵＶデータを生成し、最低８ビットのバス幅にて、時分割の拡大ＹＵＶデータと時分割の変換ＲＧＢデータとを切り替えて出力することができる。
【００８４】
また、８ビットをさらに時分割することで、最低４ビットのバス幅にて、時分割のＹＵＶデータと時分割のＲＧＢデータとを切り替えて出力することができ、さらに時分割の拡大ＹＵＶデータと時分割の変換ＲＧＢデータとを切り替えて出力することができる。
【００８５】
さらに、本実施の形態によれば、信号処理回路１１５，１１５ａと、イメージセンサ１０２およびレンズ１０１を一体化したセンサモジュール３０１に適用することができ、また表示回路４０２、伝送制御回路４０３およびメモリ４０４などを有する携帯端末システム４０１に適用することができる。
【００８６】
従って、本実施の形態の信号処理回路１１５，１１５ａを有するＬＳＩ、センサモジュール３０１、携帯端末システム４０１によれば、大容量のメモリを使用せずにズーム処理を行うため、部品点数や回路規模の増加を抑えることができる。また、ＹＵＶデータとＲＧＢデータとを時分割出力する出力端子の共用により、これらを切り替えて出力することで、出力端子数の増加を抑えることができる。さらに、ＹＵＶデータからＲＧＢデータへの変換を１個のＬＳＩ内の信号処理回路で実行するため、ホスト装置の負担を軽くする、または外付けハードウェアの削減が図れる。
【００８７】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【００８８】
【発明の効果】
本願において開示される発明のうち、代表的なものによって得られる効果を簡単に説明すれば、以下のとおりである。
【００８９】
（１）複数ビットのパラレル出力線から、ＹＵＶデータを時分割出力するモードと、ＲＧＢデータを時分割出力するモードとを有することで、４ビットまたは８ビットのバス幅にて、モードの選択により時分割のＹＵＶデータと時分割のＲＧＢデータとを切り替えて出力することが可能となる。
【００９０】
（２）ＹＵＶデータを拡大した拡大ＹＵＶデータを時分割出力するモードと、拡大ＹＵＶデータをＲＧＢデータに変換した変換ＲＧＢデータを時分割出力するモードとを有することで、大容量のメモリを用いずに、モードの選択により時分割の拡大ＹＵＶデータと時分割の変換ＲＧＢデータとを切り替えて出力することが可能となる。
【００９１】
（３）大容量のメモリを使用せずにズーム処理を行うことができるので、信号処理回路を有する、半導体装置、センサモジュール、携帯端末システムの部品点数や回路規模の増加を抑えることが可能となる。
【００９２】
（４）ＹＵＶデータとＲＧＢデータとを時分割出力する出力端子を共用することができるので、信号処理回路を有する、半導体装置、センサモジュール、携帯端末システムの出力端子数の増加を抑えることが可能となる。
【００９３】
（５）ＹＵＶデータからＲＧＢデータへの変換を１個の半導体装置内の信号処理回路で実行することができるので、ホスト装置の負担を軽くする、または外付けハードウェアの削減を図ることが可能となる。
【図面の簡単な説明】
【図１】本発明の一実施の形態の半導体装置における信号処理回路を示すブロック図である。
【図２】本発明の一実施の形態の半導体装置における別の信号処理回路を示すブロック図である。
【図３】本発明の一実施の形態の半導体装置において、１ラインのデータ出力順を示す説明図である。
【図４】本発明の一実施の形態の半導体装置において、Ｊバス／Ｋバスの出力組み合わせを示す説明図である。
【図５】本発明の一実施の形態の半導体装置において、輝度信号ズーム処理回路を示すブロック図である。
【図６】本発明の一実施の形態の半導体装置において、色信号ズーム処理回路を示すブロック図である。
【図７】本発明の一実施の形態の半導体装置において、画素に対応する輝度信号を示す説明図である。
【図８】本発明の一実施の形態の半導体装置において、画素に対応するズーム処理後の輝度信号を示す説明図である。
【図９】本発明の一実施の形態の半導体装置において、画素に対応する色信号を示す説明図である。
【図１０】本発明の一実施の形態の半導体装置において、画素に対応するズーム処理後の色信号を示す説明図である。
【図１１】本発明の一実施の形態の半導体装置において、画素に対応する色信号と色差信号との関係を示す説明図である。
【図１２】本発明の一実施の形態の半導体装置において、第１のズーム処理方法における各信号の１フレーム期間の通常時を示すタイミング図である。
【図１３】本発明の一実施の形態の半導体装置において、第１のズーム処理方法における各信号の１フレーム期間の拡大時を示すタイミング図である。
【図１４】本発明の一実施の形態の半導体装置において、第１のズーム処理方法における輝度信号の１ライン目付近を示すタイミング図である。
【図１５】本発明の一実施の形態の半導体装置において、第１のズーム処理方法における輝度信号の出力側Ｎライン目付近を示すタイミング図である。
【図１６】本発明の一実施の形態の半導体装置において、第１のズーム処理方法における色信号の１ライン目付近を示すタイミング図である。
【図１７】本発明の一実施の形態の半導体装置において、第１のズーム処理方法における色信号の出力側Ｎライン目付近を示すタイミング図である。
【図１８】本発明の一実施の形態の半導体装置において、第２のズーム処理方法における各信号の１フレーム期間の拡大時を示すタイミング図である。
【図１９】本発明の一実施の形態の半導体装置において、第２のズーム処理方法における輝度信号の１ライン目付近を示すタイミング図である。
【図２０】本発明の一実施の形態の半導体装置において、第２のズーム処理方法における輝度信号の２ライン目付近を示すタイミング図である。
【図２１】本発明の一実施の形態の半導体装置において、第２のズーム処理方法における輝度信号の出力側Ｎ−１ライン目付近を示すタイミング図である。
【図２２】本発明の一実施の形態の半導体装置において、第２のズーム処理方法における輝度信号の出力側Ｎライン目付近を示すタイミング図である。
【図２３】本発明の一実施の形態の半導体装置において、第２のズーム処理方法における色信号の１ライン目付近を示すタイミング図である。
【図２４】本発明の一実施の形態の半導体装置において、第２のズーム処理方法における色信号の２ライン目付近を示すタイミング図である。
【図２５】本発明の一実施の形態の半導体装置において、第２のズーム処理方法における色信号のＮ−１ライン目付近を示すタイミング図である。
【図２６】本発明の一実施の形態の半導体装置において、第２のズーム処理方法における色信号のＮライン目付近を示すタイミング図である。
【図２７】本発明の一実施の形態において、信号処理回路を用いたセンサモジュールを示すブロック図である。
【図２８】本発明の一実施の形態において、信号処理回路を用いた携帯端末システムを示すブロック図である。
【符号の説明】
１０１　レンズ
１０２　イメージセンサ
１０３　ラインメモリ
１０４　輝度信号処理回路
１０５　色信号処理回路
１０６　輝度信号ズーム処理回路
１０７　色信号ズーム処理回路
１０８　信号処理前段部
１０９　変換回路
１１０，１１１　セレクタ
１１２　時分割処理回路
１１３　制御回路
１１４　信号処理後段部
１１５，１１５ａ　信号処理回路
１５１，１５３　ズームメモリ
１５２，１５４　ズームメモリ制御回路
２０１　変換回路
２０２，２０３，２０６　時分割処理回路
２０４　セレクタ
２０５　制御回路
２０７　信号処理後段部
３０１　センサモジュール
４０１　携帯端末システム
４０２　表示回路
４０３　伝送制御回路
４０４　メモリ
【図１】
2004023279.tif 000003
【図２】
2004023279.tif 000004
【図３】
2004023279.tif 000005
【図４】
2004023279.tif 000006
【図５】
2004023279.tif 000007
【図６】
2004023279.tif 000008
【図７】
2004023279.tif 000009
【図８】
2004023279.tif 000010
【図９】
2004023279.tif 000011
【図１０】
2004023279.tif 000012
【図１１】
2004023279.tif 000013
【図１２】
2004023279.tif 000014
【図１３】
2004023279.tif 000015
【図１４】
2004023279.tif 000016
【図１５】
2004023279.tif 000017
【図１６】
2004023279.tif 000018
【図１７】
2004023279.tif 000019
【図１８】
2004023279.tif 000020
【図１９】
2004023279.tif 000021
【図２０】
2004023279.tif 000022
【図２１】
2004023279.tif 000023
【図２２】
2004023279.tif 000024
【図２３】
2004023279.tif 000025
【図２４】
2004023279.tif 000026
【図２５】
2004023279.tif 000027
【図２６】
2004023279.tif 000028
【図２７】
2004023279.tif 000029
【図２８】
2004023279.tif 000030